(57)【要約】【課題】軸受装置のハウジング内に水等が溜まることを防止する。【解決手段】シャフト２０に内輪２２が固定され、内輪２２の外側にボール２６を介して外輪２４が配置される。外輪２４はハウジング３０によって支持される。ハウジング３０はその外側の空間と内側の空間とを連通させる連通部３３を有する。【選択図】図１
2005233312.tif 000002
【特許請求の範囲】
【請求項１】
シャフト、前記シャフトに固定された内輪、前記内輪の外側に配置された外輪、及び、前記外輪を支持するハウジングを有し、前記外輪の内側で前記シャフト及び前記内輪が回転するように構成された軸受装置であって、
前記ハウジングは、前記ハウジングの外側の空間と内側の空間とを連通させる連通部を有することを特徴とする軸受装置。
【請求項２】
前記ハウジングは、前記シャフトを取り囲むように構成された枠部を有し、前記枠部は、前記ハウジングが構図物に取り付けられる際に前記構造物に接触する接触面を有し、
前記連通部は、前記枠部の外側の空間と内側の空間とを連通させるように構成されていることを特徴とする請求項１に記載の軸受装置。
【請求項３】
前記連通部は、前記枠部の前記接触面の一部を切り欠くように形成されていることを特徴とする請求項２に記載の軸受装置。
【請求項４】
前記枠部の内側には、その内側の液体が前記連通部に向かって流れるように傾斜した面が形成されていることを特徴とする請求項２又は請求項３に記載の軸受装置。
【発明の詳細な説明】
【技術分野】
【０００１】
本発明は、軸受装置の改良に関する。
【背景技術】
【０００２】
容器を加温された水或いは洗浄液等で洗浄する洗浄装置、例えば洗瓶機は、水蒸気が外部に漏れることを防止するためにチャンバ内に配置されうる。そして、チャンバ内の容器等の処理対象物や各種機構を駆動するための駆動力は、チャンバの外部に配置されたモーターからシャフトを介してチャンバ内に伝達されうる。このようなシャフトは、典型的には、軸受装置によって支持される。
【０００３】
図４は、水蒸気が発生しうる処理（例えば、容器の洗浄、低温液体が充填された容器の加温等）を実行する処理装置のチャンバの側壁或いは囲包部材に取り付けられた軸受装置の構成例を示す図である。軸受装置１００は、チャンバ１０の外部から内部に回転駆動力を伝達するためのシャフト２０、シャフト２０にボルト５０等によって固定された内輪２２、内輪２２の外側に配置された外輪２４、外輪２４を支持するハウジング３０、内輪２２と外輪２４との間に配置されたボール２６、内輪２２と外輪２４との間をシールしチャンバ１０の内側から外側への水蒸気等の漏れを防止するシール部２８等を含んで構成されうる。シャフト２０及び内輪２２は、一体化された状態で外輪２４の内側で回転する。
【０００４】
ハウジング３０は、シャフト２０を取り囲むように構成された枠部３２を有する。ハウジング３０は、枠部３２の端面（接触面）がチャンバ１０の側壁に押しつけられるようにして、ボルト３４によりチャンバ１０の側壁或いは囲包部材に取り付けられうる。
【発明の開示】
【発明が解決しようとする課題】
【０００５】
図４に示すような軸受装置１００では、ハウジング１００の内側の空間、例えば枠部３２の内側の空間６０に、チャンバ１０内で発生した水蒸気が液化した水４０が溜まりうる。このような水は、空間６０のみならず、例えば、内輪２２と外輪２４との間にも溜まりうる。このような現象は、低温の水を使う処理装置でも生じうるが、加温された水を使う処理装置では特に顕著になりうる。
【０００６】
ハウジング１００の内側の空間に水４０が溜まると、例えば、その水によって錆等が生じたり、微生物が繁殖したり、グリースが劣化したりしうる。
【０００７】
本発明は、上記の背景に基づいてなされたものであり、例えば、軸受装置のハウジング内に水等が溜まることを防止することを目的とする。
【課題を解決するための手段】
【０００８】
本発明の軸受装置は、シャフト、前記シャフトに固定された内輪、前記内輪の外側に配置された外輪、及び、前記外輪を支持するハウジングを有し、前記外輪の内側で前記シャフト及び前記内輪が回転するように構成され、前記ハウジングが、前記ハウジングの外側の空間と内側の空間とを連通させる連通部を有する。
【０００９】
本発明の好適な実施形態によれば、前記ハウジングは、前記シャフトを取り囲むように構成された枠部を有しうる。前記枠部は、前記ハウジングが構図物に取り付けられる際に前記構造物に接触する接触面を有しうる。前記連通部は、前記枠部の外側の空間と内側の空間とを連通させるように構成されうる。ここで、前記連通部は、前記枠部の前記接触面の一部を切り欠くように形成されうる。前記枠部の内側には、その内側の液体が前記連通部に向かって流れるように傾斜した面が形成されることが好ましい。
【発明の効果】
【００１０】
本発明によれば、例えば、軸受装置のハウジング内に水等が溜まることが防止される。
【発明を実施するための最良の形態】
【００１１】
以下、添付図面を参照しながら本発明の好適な実施形態を説明する。
【００１２】
図１は、本発明の好適な実施形態の軸受装置の構成例を示す図である。図１（ａ）は正面図、図１（ｂ）は軸受装置をその中心軸を通る面で切断した断面図である。図２は、水蒸気が発生しうる処理（例えば、容器の洗浄、低温液体が充填された容器の加温等）を実行する処理装置のチャンバの壁或いは囲包部材に図１に示す軸受装置２００を取り付けた例を示す図である。
【００１３】
軸受装置２００は、チャンバ１０の外部から内部に回転駆動力を伝達するためのシャフト２０、シャフト２０にボルト５０等によって固定された内輪２２、内輪２２の外側に配置された外輪２４、外輪２４を支持するハウジング３０、内輪２２と外輪２４との間に配置されたボール２６、内輪２２と外輪２４との間をシールしチャンバ１０の内側から外側への水蒸気の漏れを防止するシール部２８等を含んで構成されうる。シャフト２０及び内輪２２は、外輪２４の内側で回転する。なお、軸受装置２００は、例えば、ボール２６の代わりに円筒ころを採用して、ころ軸受としても構成されうる。
【００１４】
ハウジング３０は、シャフト２０を取り囲むように構成された枠部３２を有する。ハウジング３０は、枠部３２の端面（接触面）がチャンバ１０の壁或いは囲包部材に押しつけられるようにしてボルト３４等の固定機構によりチャンバ１０の壁或いは囲包部材に取り付けられうる。
【００１５】
この実施の形態では、枠部３２には、ハウジング３０の外側の空間と内側の空間（ハウジング３０から見てシャフト２０側の空間）とを連通させる連通部３３が形成されている。連通部３３は、例えば、枠部３２がチャンバ１０の壁或いは囲包部材に接触する面の一部を切り欠くようにして形成されうる。連通部３３は、２個以上設けられてもよい。
【００１６】
ハウジング３０は、少なくとも１個の連通部３３が下方を向くようにしてチャンバ１０の壁或いは囲包部材にボルト３４等の固定具或いは固定機構によって固定されうる。ハウジング３０に少なくとも１つの連通部３３を設けてハウジング３０の外側空間と内側空間とを連通させ、少なくとも１つの連通部３３が下方に向くようにハウジング３０の向きを配置することにより、ハウジング３０の内側に水が溜まることを防止することができる。これにより、例えば、錆等の発生、微生物の繁殖、グリースの劣化等を防止することができる。連通部３３はまた、例えば、内輪２２と外輪２４との間の余剰グリースの排出にも寄与しうる。
【００１７】
枠部３２の内側には、図３に例示的に示すように、その内側の液体が連通部３３に向かって流れるように傾斜した面３２ｓが形成されることが好ましい。これにより、枠部３２或いはハウジング３０内に水が溜まることをより確実に防止することができる。
【図面の簡単な説明】
【００１８】
【図１】本発明の好適な実施形態の軸受装置の構成例を示す図である。
【図２】水蒸気が発生しうる処理を実行する処理装置のチャンバの壁或いは囲包部材に図１に示す軸受装置を取り付けた例を示す図である。
【図３】より好ましい軸受装置の構成例を示す図である。
【図４】水蒸気が発生しうる処理を実行する処理装置のチャンバの側壁に取り付けられた軸受装置の構成例を示す図である。
【符号の説明】
【００１９】
１００、２００  軸受装置
１０  チャンバ
２０  シャフト
２２  内輪
２４  外輪
２６  ボール
２８  シール部
３０  ハウジング
３２  枠部
３２ｓ  枠部内側の面
３３  連通部
４０  水
５０  ボルト
【図１】
2005233312.tif 000003
【図２】
2005233312.tif 000004
【図３】
2005233312.tif 000005
【図４】
2005233312.tif 000006